(57)【要約】  連結装置は、第１の非機械的弁を含む第１構成要素と、第２の非機械的弁を有する第２構成要素と、第１の弁と連結するための第１端部、及び第２の弁と連結するための第２端部を有する第３構成要素と、を備える。 第１端部が第１の弁に連結され、第２端部が第２の弁に連結される際に、内部を通じて経路が画定されるように、第３構成要素は細長いボアを有する。 連結装置は、第３構成要素と第２構成要素との間に配置されたブレークアウェイ部分を含み、第１及び第２弁は、第２及び第３構成要素が互いから分離する際に自動的に閉止する。
2014528744.tif 000002
【特許請求の範囲】
【請求項１】
第１の非機械的弁を含む第１構成要素と、
第２の非機械的弁を含む第２構成要素と、
前記第１の弁と連結するための第１端部、及び前記第２の弁と連結するための第２端部を有する第３構成要素と、前記第３構成要素は、前記第１端部が前記第１の弁に連結され、前記第２端部が前記第２の弁に連結されたときに、内部を通じて経路が画定される細長いボアを有する、
前記第１構成要素を収容するための第１ハウジングと、
前記第２構成要素及び前記第３構成要素を収容するための第２ハウジングと、
を備え、
前記第１ハウジング及び前記第２ハウジングが互いに連結され、かつ互いから分離可能である連結装置。
【請求項２】
前記第１ハウジングは、少なくともその一端上に第１取付具を有し、前記第２ハウジングは、少なくともその一端上に第２取付具を有し、前記第１ハウジングは前記第１取付具と前記第２取付具の接合を介して前記第２ハウジングに連結される請求項１記載の連結装置。
【請求項３】
前記第１ハウジングは、前記第２ハウジングから取り外し可能及び再接合可能である請求項１記載の連結装置。
【請求項４】
前記第１ハウジングは、既定レベルの力の適用により、前記第２ハウジングから取り外し可能である請求項１記載の連結具。
【請求項５】
前記第３構成要素は、前記ハウジングの内側に位置付けられた二重雄型アダプタを有し、前記第１取付具及び前記第２取付具は、前記第１ハウジングと前記第２ハウジングを軸方向に一緒に連結するためのものである請求項２記載の連結装置。
【請求項６】
前記第３構成要素は二重雄型アダプタであり、前記第１構成要素及び前記第２構成要素のうちの少なくとも一方が、前記二重雄型アダプタと係合するための雌型容器を有する請求項１記載の連結装置。
【請求項７】
前記第１の弁及び前記第２の弁は弾力的な自己密閉部材である請求項１記載の連結装置。
【請求項８】
前記弾力的な自己密閉部材はそれぞれ、その一端に、その内部を通じて延び、前記第３構成要素の前記端部が対応する前記密閉部材を貫通することを可能にするスリットを有する請求項７記載の連結装置。
【請求項９】
前記二重雄型アダプタは細長く、前記第１端部は、前記第１の弁内へと、かつこれを通じて挿入するためのものであり、前記第２端部は前記第２の弁内へと、かつこれを通じて挿入するためのものである請求項６に記載の連結装置。
【請求項１０】
前記第１の弁及び前記第２の弁は、ダックビル弁又はスリット弁である請求項１記載の連結装置。
【請求項１１】
前記二重雄型アダプタは、その外面上に第１突起部及び第２突起部を有し、前記突起部は、前記二重雄型アダプタを前記第２ハウジングの内側に保持するために、前記第２ハウジングにおいて画定される表面と係合し、前記二重雄型アダプタは、前記第２ハウジングにおいて軸方向に可動である請求項６記載の連結装置。
【請求項１２】
前記第２ハウジング取付具はスナップ表面を有し、前記第１ハウジング取付具はスナップ表面を有し、前記スナップ表面は一緒に接合されるとき、互いから脱離されて、前記第２ハウジングを前記第１ハウジングから解放する請求項２記載の連結装置。
【請求項１３】
前記第１取付具及び前記第２取付具は、ブレークアウェイ取付具であり、前記第１の弁及び前記第２の弁はダックビル弁であり、前記第２ハウジングの内側に位置付けられ、前記二重雄型アダプタを非挿入位置へと通常付勢するコイルばねを更に備えた請求項２記載の連結装置。
【請求項１４】
前記経路は、前記経路を流れる流体のいずれかの部分を滞留させ得る空隙を実質的に含まない直線的な流路を有する請求項１記載の連結装置。
【請求項１５】
前記第３構成要素は、前記第１ハウジング及び前記第２ハウジングが互いにから分離される際に、前記第２ハウジング内に維持される請求項１記載の連結装置。
【請求項１６】
第１の非機械的弁を有する第１ハウジングと、
第２の非機械的弁を有する第２ハウジングと、
第３構成要素と、
を備え、
前記第３構成要素は、内部を通じた流体の流れを形成すべく第１の弁と連結するための第１端部、及び第２の弁と連結するための第２端部を有し、前記流体の流れは、実質的に直線的で、中央に配置された軸方向の流体経路を確定し、前記経路は、前記経路を流れる流体を滞留させ得る空隙を実質的に含まず、前記第３構成要素は、前記第１ハウジングを前記第２ハウジングから分離する十分な力をかけた際に、前記第１及び第２構成要素のうちの１つ以上から取り外し可能であり、前記第１ハウジング及び前記第２ハウジングの一方又は両方が取り外される際に、前記第１の弁及び前記第２の弁が自動的に閉鎖する連結装置。
【請求項１７】
前記第３構成要素は、前記第２ハウジング内に保持される請求項１６記載の連結装置。
【請求項１８】
前記第１の弁及び前記第２の弁はスリット弁であり、前記スリット弁は、前記第３構成要素を前記第１の弁及び前記第２の弁との係合から離脱させるために別個のばねを必要としないように、前記第１ハウジング及び前記第２ハウジングが分離される際に、前記第３構成要素を前記第１の弁及び前記第２の弁との係合から離脱させようとする請求項１６記載の連結装置。
【請求項１９】
前記第１の弁及び前記第２の弁はダックビル弁であり、前記第３構成要素と関連付けられ、前記第１ハウジング及び前記第２ハウジングが分離される際に、前記第３構成要素を前記第１の弁及び前記第２の弁との係合から係合離脱させるばねを更に備えた請求項１６記載の連結装置。
【請求項２０】
医療用流体装置のための自動閉止式構成要素であって、
流体を受け取るために管に取付可能な第１構成要素を、一端において有するハウジングと、
前記第１構成要素に連結され、前記ハウジングに収容される雄型構成要素であって、第１端部及び第２端部を有する、雄型構成要素と、
前記第１構成要素に連結され、前記雄型構成要素の一端において前記ハウジング内に位置付けられる弁と、
を備え、
前記弁は、前記管と前記雄型構成要素との間に位置付けられる自動閉止式構成要素。
【請求項２１】
前記ハウジングは、前記雄型構成要素の反対側の端部において位置付けられるコネクタを有し、前記コネクタは、異なるハウジングと係合するためにブレークアウェイ機構を提供する請求項２０記載の自動閉止式構成要素。
【請求項２２】
前記ハウジングは、前記第１構成要素と反対側の端部において雄型取付具を有し、前記雄型ハウジングと連結するために雌型取付具を有する雌型ハウジングを更に備え、前記雌型ハウジングは、前記二重雄型アダプタの他端を受容するための開口部を有し、かつ前記二重雄型アダプタの端部と係合するための第２の弁を有する請求項２０記載の自動閉止式ブレークアウェイ構成要素。
【発明の詳細な説明】
【技術分野】
【０００１】
本開示は、医療用流体と共に使用するための、ブレークアウェイ連結具に関する。具体的には、本開示は連結具が分離される際に連結具の両端を密閉するための弁を使用するブレークアウェイ連結具に関する。
【背景技術】
【０００２】
供給源を経管チューブと接続するために、経管チューブ内でフィードセット連結具が現在使用されている。フィードセット連結具は典型的には、雌型容器と係合する雄型アダプタを含む。多くのこのような連結具は、一体型自動閉止弁を含まない。連結具が偶発的に分離する場合、例えば偶発的にフィードシステムに張力がかかる場合、経管供給が、供給源から途切れずに行われ続ける可能性がある。加えて、患者の胃腸管の内容物が患者から継続的に逆流することがある。これは、例えば経管供給の不足、薬物治療の不足、1日に必要な量のカロリーを患者に与えるための時間の損失、患者の健康の悪化、清浄化、濡れ及び空腹による睡眠不足、管からこぼれた供給物を患者が吸引する可能性など多くの問題につながる。
【０００３】
いくつかの供給システムは、フィードセットが「自由流れ」になったときにこれを知らせる警報を含む。しかしながら、これらの警報システムは、フィードセットがポンプから分離した場合にのみ機能し、連結具が分離した場合には機能しない。いくつかの製造メーカーは、フィードセット連結具の分離の防止を試みてきた。これらの装置により、経管チューブは患者から完全に外れることがあり、更なる問題につながる。
【発明の概要】
【０００４】
実施例の連結具が以下に請求及び記載される。
【図面の簡単な説明】
【０００５】
【図１】図１は、フィードセットと接続して使用される第１実施例の連結具を示す。
【０００６】
【図２】図２は、第１実施例の連結具の雌型構成要素の分解斜視図である。
【０００７】
【図３】図３は、組み立てた構成の図１の実施例の連結具の雌型構成要素の斜視図である。
【０００８】
【図４】図４は、第１実施例の連結具の雄型構成要素のいくつかの分解斜視図である。
【０００９】
【図５】図５は、組み立てた構成の図１の実施例の連結具の雄型構成要素の斜視図である。
【００１０】
【図６】図６は、図３及び図５の雄型及び雌型構成要素を組み込む、組み立てた第１実施例の連結具の斜視図である。
【００１１】
【図７】図７は、完全に分離した構成の第１実施例の連結具の雄型及び雌型構成要素の斜視断面図である。
【００１２】
【図８】図８は、一部係合した構成の第１実施例の連結具の斜視断面図である。
【００１３】
【図９】図９は、更に係合した構成の第１実施例の連結具の斜視断面図である。
【００１４】
【図１０】図１０は、完全に係合した構成における、第１実施例の連結具の斜視断面図である。
【００１５】
【図１１】図１１は、貫流経路を示す、完全に係合した構成における、第１実施例の連結具の端面図である。
【００１６】
【図１２】図１２は、第２実施例の連結具の雌型構成要素の分解斜視図である。
【００１７】
【図１３】図１３は、組み立てた構成の第２実施例の連結具の雌型構成要素の斜視図である。
【００１８】
【図１４】図１４は、第２実施例の連結具の雄型構成要素のいくつかの分解斜視図である。
【００１９】
【図１５】図１５は、組み立てた構成の第２実施例の連結具の雄型構成要素の斜視図である。
【００２０】
【図１６】図１６は、組み立てた構成の第２実施例の連結具の雄型及び雌型構成要素の斜視図である。
【００２１】
【図１７】図１７は、図１６に示される、第２実施例の連結具の断面斜視図である。
【００２２】
【図１８】図１８は、組み立てた構成の第２実施例の連結具の斜視図である。
【００２３】
【図１９】図１９は、図１８に示される、第２実施例の連結具の断面斜視図である。
【００２４】
【図２０】図２０は、組み立てた構成にあるときの貫流通路を示す、図１８の実施例の連結具の端面図である。
【発明を実施するための形態】
【００２５】
実施例の連結装置１０は、医療用流体供給システム１２のための自動閉止式ブレークアウェイ連結具である。実施例の連結装置１０は、食物供給、薬品供給など任意の種類の流体供給に使用され得る。例えば、連結具１０は、静脈内及び動脈、透析接続、フォーリーカテーテル接続、 胸腔チューブ、又は患者のケアのために使用されるいずれか他の種類の液体、気体若しくは真空接続に使用され得る。連結装置１０は、雌型構成要素１４及び雄型構成要素１６を含み、ブレークアウェイ接続部１８が２つの構成要素１４と１６との間に提供される。以下で更に詳細に記載されるように、ハウジング、連結具、又は他の部品は異なる用途に関して色分けされてもよく、かつブレークアウェイ接続部の寸法は、接続のずれを防ぐために変化してもよい。以下の記載は主に、フィードシステム１２の関連を対象としているが、この記載は他のシステムについても適用可能であり、本発明は特定の用途に制限されない。
【００２６】
実施例の連結具１０は、分離される際に、連結具１０の両方の自由端からの流れを自動的に遮断する能力を有する。連結具１０が分離される際に、経管供給源２０からの流れは遮断される。加えて、患者の胃腸管２４からの逆流が遮断される。この自動閉止は、フィードポンプ２２の閉止により機能する。ほぼ全てのフィードポンプ２２が閉鎖センサを有するため、これはフィードシステム１２に問題があることを介護者に警告する。流れはシステム１２を通じて完全に停止されるため、介護者はどれだけの食物が供給されたか、供給されなかったかを正確に知る。加えて、患者のシステム２４からの逆流を防止できるため、これは患者の供給スケジュールを維持し、衣類、ベッド及び部屋が汚れるのを防ぐ。
【００２７】
実施例の連結装置１０は安価であり、使い捨てであり、小型で、清浄が容易であり、迅速に挿入することができる。これは使いやすく、係合した連結具は、経管チューブが患者から外れる力よりも小さい力で分離する。連結具１０の構成は、容易な滅菌を可能にする。連結具１０を通じた流路２６は、直線的な経路であり、これは連結装置１０が、より粘度の高い流体と共に使用されることを可能にし、かつ血液が移送媒体として使用される場合に血球の溶血を防ぐ。加えて、連結具１０の少なくとも１つの実施例は、ばねのように、使用及び洗浄の繰り返しによって破損又は腐食するいくつかの器具を含まない。
【００２８】
連結具１０を脱離させるのに必要な張力の大きさは、用途によって変動し得る。例えば、連結装置１０が、点滴（ＩＶ）を通じて薬剤を送達するのに使用される場合、点滴を外すために必要な力は、患者の胃腸管から経管チューブを外すために必要な力より小さい場合がある。
【００２９】
実施例の連結装置１０は、雄型構成要素１６、雌型構成要素１４、及び２つの弁２８、３０を含む。第１の弁２８は、雄型構成要素１６の端部に位置付けられ、第２の弁３０は雌型構成要素１４の端部に位置付けられる。弁２８、３０は、非機械的な自動閉鎖する弾性弁である。ここで説明される弁の例は、スリット弁及びダックビル弁である。他のいずれかの種類の非機械的弁が使用されてもよい。
【００３０】
図１は、フィードシステム１２に挿入される実施例の連結装置１０を表す。連結具１０は、フィードポンプ２２と患者２４との間に位置付けられる。この目的のために使用される実施例の連結装置１０は、約２インチの長さであり得る。他の長さ及び大きさが使用されてもよい。連結装置１０の大きさは部分的に、他の要因よりも、とりわけ用途に依存し得る。
【００３１】
図２及び図３は、実施例の連結具１０の雌型構成要素１４を示す。図２に示されるように、雌型構成要素１４は、弁ハウジング３２に収容される弁３０を含む。雌型容器付属部３４は、例えば他の既知の取り付け技術の中でもとりわけ、接着剤又は溶接などのいずれかの既知の手段を介して、弁ハウジング３２に取り付けることができる。連結具１０のこれらの及び他の部品の接合時に使用され得る溶接の一種は、超音波溶接である。雌型容器付属部３４は、成形された硬質プラスチックであり得る。弁ハウジング３２は、ポリカーボネート又はコポリエステルから形成されてもよく、透明又は不透明であり得る。図２及び図３に示される実施例の弁ハウジング３２は透明であり、雌型容器付属部３４は不透明である。雌型容器付属部３４及び弁３０／弁ハウジング３２は、一緒に連結されて雌型構成要素１４を提供する。他の種類の材料が、様々な部品のために使用されてもよい。
【００３２】
図２及び図３において、シリコーンスリット弁３８は、弁ハウジング３２の内側に配置されているのが示されている。スリット弁３８は、ハウジング３２において軸方向に位置付けられる。雌型容器付属部３４は、スリット弁３８の開口部に位置する。スリット弁３８は、弁ハウジング３２への開口部とぴったりと重なっているのが示されている。スリット弁３８は通常、閉鎖位置にあるが、スリット弁３８のスリット４０に対して物体を押し付けることによって開くことができる。物体が弁内に挿入されると、スリット弁３８は物体の周囲に自動的に自己密閉する。更に、物体が除去されると、スリット弁３８は自動的に自己密閉する。スリット弁３８は、シリコーン又は他の材料で作製されてもよい。物体がスリット弁３８内に挿入されると、弁は圧縮し、これによりスリット４０が開く。圧縮したシリコーンは、ばねとして機能する。物体が取り除かれると、圧縮したシリコーンは、その弛緩状態へと戻り、スリット４０が自動的に閉じる。
【００３３】
雌型容器付属部３４は、スリット弁３８又は弁３０の開口部と連通した開口部を有し、物体がスリット弁３８に入るための案内部として機能する。雌型容器付属部３４はまた、ブレークアウェイ方式により別の部品と連結するために、一端にアダプタ４２を有する。特に、アダプタ４２は、雌型容器６６と接合し得る雄型コネクタを形成するリブ又はリップ４４を含む。リブ又はリップ４４は、開口部の周囲に延びる。リブ又はリップ４４は、対応する雌型コネクタへの挿入を補助するための面取りした又は丸い縁部を有してもよい。
【００３４】
図４及び図５は、実施例の連結具１０の雄型構成要素１６の部品を示す。雄型構成要素１６は、２つの部品として形成されるものとして示される雄型ハウジング４６を含む。２つの部品は、溶接、接着剤、圧力嵌め、スナップ嵌め、又は他の手段で互いに接合され得る。図２に示されるもののようなスリット弁２８及び弁ハウジング４８は、雄型構成要素１６の一端に連結され、フィードシステム１２のチューブ５０は、弁ハウジング４８の端部に連結され得る。弁ハウジング４８は、溶接、接着剤、又はねじなどいずれか既知の手段により連結される。弁ハウジング４８は、透明又は不透明に作製されてもよく、ポリカーボネート、コポリエステル、又は別の材料であってもよい。
【００３５】
浮動二重雄型アダプタ５２は細長く、その端部の間で単一のチャネル内で延びている中央ボア５４を有する。二重雄型アダプタ５２は、雄型ハウジング４６の内側に位置付けられ、捕捉され、並びに、相対する端部区分５６、５８及び中央区分６０を有する。各区分は、二重雄型アダプタ５２の外面の周囲で外側に放射状に延びる肩部６２の形態のうち、外側に延びる突起部によって分離される。肩部６２は、二重雄型アダプタ５２の各端部５６、５８における先端部が、弁２８、３０内へと深く突出し過ぎることを防ぐ。端部５６、５８が、弁２８、３０内へと深く突出し過ぎると、弁２８、３０は、分離中、アダプタ５２を放出するためのばねとして適切に機能できない。二重雄型アダプタ５２上の肩部６２はまた、雄型構成要素ハウジング４６の内側の停止部６４と係合し、二重雄型アダプタ５２の各端部が各弁２８、３０を同様に起動させるようにする。
【００３６】
二重雄型アダプタ５２は、アダプタ５２の第１端部５６が雄型構成要素１６の第１の弁２８と連通するように、雄型ハウジング４６の内側に位置付けられる。雄型ハウジング４６は、ハウジング４６内にアダプタ５２を捕捉するために、二重雄型アダプタ５２の肩部６２の一方を受容するための溝６４を有する。二重雄型アダプタ５２は、雄型構成要素１６の内側において長手方向に可動である。二重雄型アダプタ５２が弁２８内に押し付けられると、アダプタの第１端部が弁のスリットに入り、雄型アダプタ５２の内部と、弁ハウジング４８の内部チャンバとの間に直線的な流体流路２６をもたらす（図９に最も良く示される）。他の非直線的な経路が必要に応じて利用されてもよい。連結具１０の雄型構成要素１６が図５に示される。
【００３７】
図１１は、スリット弁３８に位置付けられた二重雄型アダプタ５２を示す。二重雄型アダプタ５２は、その中央を通じた直線的な流路２６を形成するボア５４を有し、スリット弁３８は二重雄型アダプタ５２の端部周囲に緊密な密閉を形成する。
【００３８】
雄型ハウジング４６は、その内部に入れられた二重雄型アダプタ５２により、互いに接合される２つの部品からなる。これは、二重雄型アダプタ５２が、通常使用中にアセンブリから外れることを防ぐ。雌型ルアーロックねじは、雄型ハウジング４６（図４に示される）の弁端部に位置付けられる。このねじは、介護者がこのアセンブリを容易に弁２８の機能的端部に取り付けるか、又はここから取り外すことを可能にする。この接続のために、他の種類の取り付け機構が単独で又は組み合わせて使用されてもよい。このアセンブリの利点は、これが洗浄目的のために取り外し可能であることである。ブレークアウェイスナップ機構の雌型容器６６が雄型ハウジング４６の他の端部にある。これらのスナップの設計は、異なるブレークアウェイ（脱離する）力に合わせるように変更され得る。現在のスナップ機構の設計は、連結具１０の２つの端部が、流れを中断させることなく、自由に回転することを可能にする。これは、供給ライン５０の捩れを回避することを助ける。
【００３９】
図２及び図３に示されるように、雌型容器付属部３４は、雌型弁ハウジング３２の機能的端部に結合される。雌型構成要素１４は、リブ／リップ４４を介して雄型ハウジング４６と係合する、ブレークアウェイスナップ機構の雄型取付具４４を含む。このスナップ機構は、連結具１０の２つの端部を一緒に保持する。一旦、連結具１０にブレークアウェイスナップ力を越える十分な張力がかかると、シリコーン弁２８、３０はばねとして機能し、二重雄型アダプタ５２を放出する。これは連結具１０の両方の自由端からの流れを中断する。
【００４０】
図６は、完成した連結装置１０を示し、ここでは雄型構成要素１６及び雌型構成要素１４が一緒に接合される。弁ハウジング３２、４８は、連結装置１０の端部に位置付けられ、弁ハウジング３２、４８の外側端部は、フィードシステム１２又は他のシステムのチューブ５０に連結するために使用される。弁ハウジング３２、４８は透明であってもよく、雄型構成要素ハウジング４６及び雌型容器付属部３４は不透明であってもよいが、構成要素のいずれかは必要に応じて不透明又は透明であり得る。
【００４１】
図７〜図１０は、図２〜図６の連結装置１０が組み立てられる方法を表す。これらはまた、連結装置１０の中心を通じて形成される直線的な流路２６を示す。図７は、雄型構成要素１６の端部に連結される第１の弁２８、及び雌型容器付属部３４に連結される第２の弁３０を示す。二重雄型アダプタ５２は、雄型構成要素ハウジング４６の内側に位置付けられ、雄型アダプタ５２の肩部６２は、内側に突出するリブ６４の後ろの雄型ハウジング４６の内側に捕捉される。内側に突出するリブ６４は、雄型アダプタ５２を、雄型ハウジング４６の内側で適所に維持する。雄型アダプタ５２の反対の端部５８は、雌型構成要素１４の雌型容器３４と位置合わせされているのが示される。
【００４２】
図８は、雌型構成要素１４のスリット弁３０に対して押し付けられ、この内部に挿入される雄型アダプタ５２の第２端部５８を示す。雄型アダプタ５２の端部５８は、スリット４０に入り、アダプタ５２の開口部が弁ハウジング３２の内側の空洞内に位置付けられるまで、スリット４０を通じて完全に押し通される。これは流体が第２の弁３０を通じて、かつ二重雄型アダプタ５２を通じて、直線的な流路において流れることを可能にする。
【００４３】
図９は、第１の弁２８内へと、かつこれを通じて挿入される雄型アダプタ５２の第１端部５６を表す。雄型アダプタ５２の第２端部５８と同様に、第１端部５６は、雄型アダプタ５２の第１端部５６が弁ハウジング４８の内側の空洞に入るまで、第１の弁２８においてスリット４０内に挿入される。この位置において、連結装置１０は、まだ完全に閉じていないが、流路２６は確立されている。
【００４４】
図１０は、一緒に係合した雄型構成要素１６及び雌型構成要素１４の端部において、取付具４２、６６によって一緒に連結された雄型構成要素１６及び雌型構成要素１４を表す。雄型構成要素１６は、その端部において内側に画定されたリブ６８を含み、雌型構成要素１４は、その端部において外側に画定されたリブ４４を含む。部品の可撓性により、ユーザは、これらの部品がスナップ嵌めされるまで、これらを一緒に押し付けておくことができる。この接続は十分な力の適用により脱離され得る。当業者により既知の、他の種類の接続も使用され得る。
【００４５】
図１２〜図２０は、上記に開示の装置と同様であるが、スリット弁３８の代わりにダックビル弁７０を含む、別の実施例の連結装置１０を表す。ダックビル弁７０は、これが弁の開口部を通じて物体を受容し、物体周囲に自己密閉するという点においてスリット弁と同様である。物体が弁から取り除かれると、弁は自動的にそれ自体を閉止する。
【００４６】
図１２を参照し、連結装置１０の雌型構成要素１４が示される。雌型構成要素１４は、接着剤又は溶接など既知のいずれかの方法を介して一緒に係合する２つの部品により形成されるハウジング７２を含む。ハウジング７２は、成形された硬質プラスチック又は他の材料から作製され得る。雌型ハウジング７２は、ダックビル弁７０を受容するための内側に配置されたリブ７４、及び雄型アダプタ５２の一部を受容するためのチャネル７６を含む。加えて、雌型構成要素１４は、管５０に取り付けるためにその自由端においてチャネル７８を備える。ダックビル弁７０は、成形シリコーン又は他の材料から作製され得る。
【００４７】
図１３は、組み立てた構成における雌型構成要素１４を示す。ダックビル弁７０はハウジング７２の内側に位置付けられ、開口部８０は弁開口部に隣接する雌型構成要素１４に設けられる。雌型構成要素１４は、図２〜図１１に関連して先に記載されたものと同様のブレークアウェイ方式である、雄型構成要素１６と連結するための取付具４２を有する。
【００４８】
図１４及び図１５は、別の実施例の連結具１０の雄型構成要素１６を示す。雄型構成要素１６は、いずれかの従来的な方法で一緒に接合された２つの半体から形成される雄型ハウジング４６を含む。ハウジング４６は、成形された硬質プラスチック又は他の材料から作製される。雄型ハウジング４６は、ハウジング４６の内側にダックビル弁７０を受容するための、内側に半径方向に画定されたリブ７４を含む。雄型ハウジング４６はまた、二重雄型アダプタ５２を非挿入位置へと付勢するために使用される、ばね８４を収容するチャンバ８２を含む。示されている二重雄型アダプタ５２は上記のものと同様であり、２つの外側に延びる放射状肩部６２と、その長さにわたって延びる経路を備える細長い本体を含む。
【００４９】
図１５は、二重雄型アダプタ５２、及び雄型ハウジング４６に挿入されたダックビル弁７０を示す。二重雄型アダプタ５２の第１端部５６は、ダックビル弁７０と関連付けられ、アダプタ５２の第２端部５８は自由であるものと示されるが、図１２／図１３の雌型構成要素１４と接合するために使用される。二重雄型アダプタ５２の第１肩部６２は、アダプタ５２をハウジング４６の内側で適所に保持するために、ハウジング４６の内側リブ６４の後ろに位置付けられる。
【００５０】
図１６〜図１９は、別の実施例の連結装置１０の雄型構成要素１６及び雌型構成要素１４の係合を表す。図１６〜図１７は、二重雄型アダプタ５２を雌型構成要素１４に挿入する前の、雄型構成要素１６及び雌型構成要素１４を示す。ダックビル弁７０は、雄型構成要素１６及び雌型構成要素１４の内側に位置付けられ、ばね８４は二重雄型アダプタ５２の第１端部５６の周囲に位置付けられる。雄型構成要素１６は、雌型構成要素１４の端部に画定される雄型アダプタ４２とブレークアウェイ方式で連結するために、雄型構成要素１６の開口部において雌型容器６６を有する。雌型構成要素１４は、雄型構成要素１６と係合するために、外側に延びるリブ４４を有する。スナップ接続が示される一方で、ねじ山、圧力嵌めなどの他の接続も使用され得る。
【００５１】
図１８〜図１９は、完全に係合した構成における雄型構成要素１６及び雌型構成要素１４を表す。示されるように、二重雄型アダプタ５２の端部５６、５８は、連結具１０を通じて直線的な流路２６を提供するために、両方のダックビル弁７０を通じて延びる。管５０は、連結具１０のいずれかの端部において連結され得る。雄型取付具４２及び雌型取付具６６は、連結具１０に十分な力をかけた際に、これらを引き離すことができるように、ブレークアウェイ方式で一緒に連結される。例えば取付具４２、６６の形状及び大きさを変えることによって、ブレークアウェイ力を変化させることができる。連結具１０が脱離されると、雌型構成要素１４が雄型構成要素１６から分離し、二重雄型アダプタ５２の第２端部５８は、雌型構成要素１４ダックビル弁７０から取り外される。その設計により、雄型アダプタ５２が雌型構成要素弁３０から取り外されたときに、ダックビル弁７０は自動的に閉止する。その後、二重雄型アダプタ５２の第２端部５８は自由になるため、ばね８４は二重雄型アダプタ５２の肩部６２を押し、これを雄型構成要素弁２８から外すように付勢する。これは、雄型構成要素１６においてダックビル弁７０から二重雄型アダプタ５２の第１端部５６を取り外し、ダックビル弁７０は自動的に閉止する。したがって、明らかなことであるが、連結具１０が脱離されると、両方の弁２８、３０が自動的に閉止し、食物供給源２０又は患者の器官２４から、いずれの流体も流れない。
【００５２】
図２０は、ダックビル弁７０に位置付けられた二重雄型アダプタ５２を示す。二重雄型アダプタ５２は、その中央を通じた直線的な流路２６を有し、ダックビル弁７０は二重雄型アダプタ５２の端部の周囲に緊密な密閉を形成する。
【００５３】
連結装置は、第１の非機械的弁を含む第１構成要素と、第２の非機械的弁を含む第２構成要素と、第１の弁と連結するための第１端部、及び第２の弁と連結するための第２端部を有する第３構成要素と、を備える。第１端部が第１の弁に連結され、第２端部が第２の弁に連結される際に、内部を通じて経路が画定されるように、第３構成要素は細長いボアを有する。経路は直線的な流路を有し得る。
【００５４】
第３構成要素は、第１半体及び第２半体を有するハウジングと、このハウジングの内側に位置付けられた二重雄型アダプタと含み得る。第１構成要素は、第１ハウジング及び第１の弁を含み、第２構成要素は、第２ハウジング及び第２の弁を含む。第１及び第２ハウジングの少なくとも一方が、第３構成要ハウジングと軸方向にしっかりと連結するための取付具を有する。
【００５５】
第１及び第２構成要素の少なくとも一方は、二重雄型アダプタと係合するための雌型容器を含む。第１及び第２の弁は弾力的な自己密閉部材である。弾力的密閉部材のそれぞれは、その一端にスリットを有し、これは弾力的な部材を通じて延び、第３構成要素の端部が各密閉部材を貫通することを可能にする。第１及び第２の弁は、ダックビル弁又はスリット弁である。
【００５６】
二重雄型アダプタは細長く、第１端部は第１の弁内へと、かつこれを通じて挿入するためのものである。二重雄型アダプタの第２端部は、第２の弁内へと、かつこれを通じて挿入するためのものである。二重雄型アダプタは、その外面に第１突起部及び第２突起部を含む。突起部は、第３構成要素ハウジングの内側に二重雄型アダプタの少なくとも一部を維持するために、少なくとも第３構成要素ハウジングにおいて画定される表面と係合するためのものである。二重雄型アダプタは、第３構成要素ハウジングにおいて可動である。
【００５７】
第３構成要素ハウジングは、スナップ表面を含み、隣接する構成要素のハウジングはスナップ表面を有する。スナップ表面は、一緒に結合されたときに、互いから脱離されて、隣接する構成要素から第３構成要素を解放する。第１構成要素は、溶接、接着剤、又は取付具により、第３構成要素に固定され得る。第２構成要素は、取付具により第３構成要素に固定され得る。
【００５８】
第３構成要素は、第１半体及び第２半体を有する第３ハウジングと、第３ハウジングの内側に位置付けられる二重雄型アダプタと、を含む。第１構成要素は第３構成要素と一体であり、第２構成要素は、第１半体及び第２半体を有する第２ハウジング、並びに第２の弁を含む。第２ハウジングは、第３構成要素ハウジングと軸方向にしっかりと連結するための取付具を有する。取付具はブレークアウェイ取付具であり、第１の弁及び第２の弁はダックビル弁である。コイルばねは、第３構成要素ハウジングの内側に位置付けられ、二重雄型アダプタを非挿入位置へと付勢する。
【００５９】
別の実施例において、連結装置は、第１の非機械的弁を有する第１構成要素と、第２の非機械的弁を有する第２構成要素と、第１の弁と連結するための第１端部、及び第２の弁と連結するための第２端部を有し、内部を通じた流体の流れを形成する第３構成要素と、を備える。第３構成要素は十分な力をかけた際に、第１及び第２構成要素の１つ以上から取り外し可能である。
第１構成要素及び第２構成要素の一方又は両方が、第３構成要素から取り外されると、第１及び第２の弁は自動的に閉止する。
【００６０】
内部を通じた流体の流れは、中央に配置された軸方向の流路に沿ってもよい。第１及び第２の弁は、ダックビル弁又はスリット弁である。
【００６１】
別の実施例において、医療用流体装置のための自動閉止式ブレークアウェイ構成要素は、流体を受け取るための管に取り付け可能な雄型構成要素と、雄型構成要素に連結された二重雄型アダプタと、を備える。二重雄型アダプタは、第１端部及び第２端部を有する。自動閉止式ブレークアウェイ構成要素はまた、雄型構成要素１６に及び二重雄型アダプタの一端に連結された弁を含む。弁は、管と二重雄型アダプタとの間に位置付けられる。
【００６２】
弁は雄型構成要素と一体であり、雄型構成要素は、別の部品と連結するための取付具を有する。雌型構成要素は、雄型構成要素と連結されてもよい。雌型構成要素は、二重雄型アダプタの他端を受容するための開口部を有し、並びに二重雄型アダプタ端部と係合するための第２の弁を含む。
【００６３】
本明細書において使用するとき、用語「実質的に」は概算の表現である。
【００６４】
様々な機構が上記に提示されたが、機構は単独で、又はいずれかの組み合わせにより使用され得ることが理解される必要がある。更に、請求される実施例と関連する変更及び修正が当業者により想到されることが理解されるべきである。本明細書において記載される実施例は例である。本開示は、当業者が、請求項において引用される要素に同様に対応する代替的要素を有する別の設計を行い、使用することを可能にし得る。したがって意図される範囲は、請求項の用語と異ならない、又は非実質的に異なる他の実施例を含むことがある。本開示の範囲はしたがって、添付の請求項に説明される通りに定義される。
【図１】
2014528744.tif 000003
【図２】
2014528744.tif 000004
【図３】
2014528744.tif 000005
【図４】
2014528744.tif 000006
【図５】
2014528744.tif 000007
【図６】
2014528744.tif 000008
【図７】
2014528744.tif 000009
【図８】
2014528744.tif 000010
【図９】
2014528744.tif 000011
【図１０】
2014528744.tif 000012
【図１１】
2014528744.tif 000013
【図１２】
2014528744.tif 000014
【図１３】
2014528744.tif 000015
【図１４】
2014528744.tif 000016
【図１５】
2014528744.tif 000017
【図１６】
2014528744.tif 000018
【図１７】
2014528744.tif 000019
【図１８】
2014528744.tif 000020
【図１９】
2014528744.tif 000021
【図２０】
2014528744.tif 000022
【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
第１の非機械的弁を含む第１構成要素を有する第１ハウジングと、第２の非機械的弁を含む第２構成要素を有する第２ハウジングと、を備える連結装置であって、前記第１の弁と連結するための第１端部、及び前記第２の弁と連結するための第２端部を有する第３構成要素を更に備え、前記第３構成要素は、前記第１端部が前記第１の弁に連結され、前記第２端部が前記第２の弁に連結される際に、内部を通じて経路が画定されるように細長いボアを有し、前記第３構成要素は前記第２ハウジング内に収容され、前記第１ハウジング及び前記第２ハウジングが互いに連結され、かつ互いから分離されることを特徴とする連結装置。 
【請求項２】
前記第１ハウジングは、少なくともその一端部上に第１取付具を有し、前記第２ハウジングは、少なくともその一端上に第２取付具を有し、前記第１ハウジングは、前記第１取付具と前記第２取付具の接合を介して、前記第２ハウジングに連結されることを特徴とする請求項１記載の連結装置。
【請求項３】
前記第１ハウジングは、前記第２ハウジングから取り外し可能及び再結合可能であり、前記第３構成要素は、前記第１ハウジング及び前記第２ハウジングが互いから分離される際に、前記第２ハウジング内に維持されることを特徴とする請求項１または２に記載の連結装置。
【請求項４】
前記第１ハウジングは、既定レベルの力の適用により、前記第２ハウジングから取り外し可能であることを特徴とする請求項１〜３のいずれか１つに記載の連結装置。
【請求項５】
前記第３構成要素は、第１の弁へと、かつこれを通じて挿入するための第１端部、及び前記第２の弁へと、かつこれを通じて挿入するための第２端部を有する、前記ハウジング内側に位置付けられた細長い二重雄型アダプタを有し、前記第１取付具及び前記第２取付具は、前記第１ハウジング及び前記第２ハウジングを軸方向に一緒に連結するためのものであることを特徴とする請求項２に記載の連結装置。
【請求項６】
前記第３構成要素は二重雄型アダプタであり、前記第１構成要素及び前記第２構成要素のうちの少なくとも一方が、前記二重雄型アダプタと係合するための雌型容器を有することを特徴とする請求項１〜４のいずれか１つに記載の連結装置。
【請求項７】
前記第１の弁及び前記第２の弁は弾力的な自己密閉部材、ダックビル弁、又はスリット弁であることを特徴とする請求項１〜６のいずれか１つに記載の連結装置。
【請求項８】
前記弾力的な自己密閉部材はそれぞれ、その一端に、その内部を通じて延び、前記第３構成要素の前記端部が対応する密閉部材を貫通することを可能にするスリットを有することを特徴とする請求項１〜６のいずれか１つに記載の連結装置。
【請求項９】
前記二重雄型アダプタは、その外面上に第１突起部及び第２突起部を有し、前記突起部は、前記二重雄型アダプタを前記第２ハウジングの内側に保持するために、前記第２ハウジングにおいて画定される表面と係合し、前記二重雄型アダプタは、前記第２ハウジング内において軸方向に可動であり、前記第１取付具及び前記第２取付具はブレークアウェイ取付具であり、
前記第１の弁及び前記第２の弁は、スリット弁又はダックビル弁であり、前記第１の弁及び前記第２の弁がダックビル弁であるとき、コイルバネは前記第２ハウジング内側に位置付けられ、通常、前記二重雄型アダプタを非挿入位置へと付勢することを特徴とする請求項５または６に記載の連結装置。
【請求項１０】
前記経路は、前記経路を流れる流体のいずれかの部分を滞留させ得る空隙を実質的に含まない、直線的な流路を有することを特徴とする請求項１〜９のいずれか１つに記載の連結装置。
【手続補正２】
【補正対象書類名】明細書
【補正対象項目名】００５１
【補正方法】変更
【補正の内容】
【００５１】
図１８〜図１９は、完全に係合した構成における雄型構成要素１６及び雌型構成要素１４を表す。示されるように、二重雄型アダプタ５２の端部５６、５８は、連結具１０を通じて直線的な流路２６を提供するために、両方のダックビル弁７０を通じて延びる。管５０は、連結具１０のいずれかの端部において連結され得る。雄型取付具４２及び雌型取付具６６は、連結具１０に十分な力をかけた際に、これらを引き離すことができるように、ブレークアウェイ方式で一緒に連結される。例えば取付具４２、６６の形状及び大きさを変えることによって、ブレークアウェイ力を変化させることができる。連結具１０が脱離されると、雌型構成要素１４が雄型構成要素１６から分離し、二重雄型アダプタ５２の第２端部５８は、雌型構成要素１４からダックビル弁７０を介して取り外される。その設計により、雄型アダプタ５２が雌型構成要素弁３０から取り外されたときに、ダックビル弁７０は自動的に閉止する。その後、二重雄型アダプタ５２の第２端部５８は自由になるため、ばね８４は二重雄型アダプタ５２の肩部６２を押し、これを雄型構成要素弁２８から外すように付勢する。これは、雄型構成要素１６においてダックビル弁７０から二重雄型アダプタ５２の第１端部５６を取り外し、ダックビル弁７０は自動的に閉止する。したがって、明らかなことであるが、連結具１０が脱離されると、両方の弁２８、３０が自動的に閉止し、食物供給源２０又は患者の器官２４から、いずれの流体も流れない。
【国際調査報告】
2014528744.tif 000023
2014528744.tif 000024
2014528744.tif 000025
2014528744.tif 000026
2014528744.tif 000027